(57)【要約】【課題】撮影位置から離れた場所に設置される照明装置の配光調整を簡便に行う。【解決手段】電子カメラ１１は、マスターフラッシュ１２により照明される被写体１６を撮像する。被写体１６の周りには、リモートフラッシュ１３が設置される。リモートフラッシュ１３は、マスターフラッシュ１２の照明に同期して被写体１６を照明する。電子カメラ１１は、現時点の照明位置、及び照明方向の情報をリモートフラッシュ１３から無線通信により取得し、事前撮影を実行することで取得されるテスト画像に基づいて、リモートフラッシュ１３の照明位置、及び照明方向を変えるための変更情報を算出する。算出した変更情報は、無線通信によりリモートフラッシュ１３に送られる。リモートフラッシュ１３は、受信した変更情報に基づいて照明位置、及び照明方向を変更する。【選択図】図２
2014006304.tif 000002
【特許請求の範囲】
【請求項１】
被写体を撮像する撮像手段と、
前記撮像手段から離れた位置で前記被写体を照明する照明手段の照明位置、及び照明方向の情報を前記照明手段から取得する照明情報取得手段と、
前記撮像手段により事前撮影を実行することで取得されるテスト画像に基づいて、前記照明手段の照明位置、及び照明方向を変えるための変更情報を特定する変更情報特定手段と、
を備えたことを特徴とする撮像装置。
【請求項２】
請求項１に記載の撮像装置において、
前記変更情報に基づいて変更した前記照明手段による照明だけでは所望する画像が得られない場合、前記撮像手段により本撮影を実行することで取得される画像に対して画像処理を施す画像処理手段を備えることを特徴とする撮像装置。
【請求項３】
請求項１又は２に記載の撮像装置において、
前記変更情報を記録用の画像データに関連付けして記録する記録手段を備えていることを特徴とする撮像装置。
【請求項４】
被写体を撮像する撮像手段と、
前記撮像手段から離れた位置で前記被写体を照明する照明手段と、
前記照明手段の照明位置、及び照明方向の情報を前記照明手段から取得する照明情報取得手段と、
前記撮像手段により事前撮影を実行することで取得されるテスト画像に基づいて、前記照明手段の照明位置、及び照明方向を変えるための変更情報を特定する変更情報特定手段と、
を備えたことを特徴する撮像システム。
【請求項５】
請求項４に記載の撮像システムにおいて、
前記変更情報に基づいて変更した前記照明手段による照明だけでは所望する画像が得られない場合、前記撮像手段により本撮影を実行することで取得される画像に対して画像処理を施す画像処理手段を備えることを特徴とする撮像システム。
【請求項６】
請求項４又は５に記載の撮像システムにおいて、
変更情報を画像データに関連付けして記録する記録手段を備えていることを特徴とする撮像システム。
【請求項７】
請求項４から６のいずれか１項に記載の撮像システムにおいて、
前記照明手段に対して照明位置、及び照明方向を可変させるための制御信号を送信する送信手段を備えていることを特徴とする撮像システム。
【請求項８】
請求項４から７のいずれか１項に記載の撮像システムにおいて、
前記照明手段の位置を変更する位置変更手段、及び照明方向を変更する照明方向変更手段を備えていることを特徴とする撮像システム。
【請求項９】
撮像位置から離れた位置に設置される照明手段により照明される被写体を事前撮影して得られるテスト画像に基づいて、前記照明手段の照明位置、及び照明方向を変えるための変更情報を特定し、特定した変更情報に基づいて前記照明手段の位置、及び照明方向を自動的に変更する照明方法。
【発明の詳細な説明】
【技術分野】
【０００１】
撮像装置、撮像システム、及び照明方法に関する。
【背景技術】
【０００２】
従来から、スタジオ等で照明写真や記念写真等を撮影する時には、被写体の左右、正面、上下等に複数のフラッシュを配置し、フラッシュ光を被写体に多方向から照射して撮影を行う多灯撮影が行われている。多灯撮影では、複数の照明装置の照射位置や照射方向を調整することによって被写体に作り出される陰影を細かく調整することができ、被写体の質感や立体感が表現された商品価値の高い撮影画像を得ることができる（特許文献１）。
【先行技術文献】
【特許文献】
【０００３】
【特許文献１】特開２０１２−３２６１８号公報
【発明の概要】
【発明が解決しようとする課題】
【０００４】
しかしながら、特許文献１に記載の装置では、テスト撮影を実行して配光確認を行った後に、複数の照明装置の照射位置、及び照射方向を調整して陰影バランスを整える作業が必要になる。この作業は、複数の照明装置の位置まで一々出向いて行う必要があるため大変な手間となっていた。
【０００５】
本発明は、上記問題に鑑み、撮影位置から離れた場所に設置される照明装置の配光調整を簡便に行うことができる撮像装置、撮像システム、及び照明方法を提供することを目的とする。
【課題を解決するための手段】
【０００６】
本発明を例示する撮像装置の一態様は、被写体を撮像する撮像手段と、撮像手段から離れた位置で被写体を照明する照明手段の照明位置、及び照明方向の情報を照明手段から取得する照明情報取得手段と、撮像手段により事前撮影を実行することで取得されるテスト画像に基づいて、照明手段の照明位置、及び照明方向を変えるための変更情報を算出する変更情報算出手段と、を備えたものである。
【発明の効果】
【０００７】
本発明では、撮影位置から離れた場所に設置される照明手段の配光調整を簡便に行うことができる。
【図面の簡単な説明】
【０００８】
【図１】本発明の一実施形態である照明システムの概略を示す平面図である。
【図２】照明システムの要部を示す斜視図である。
【図３】照明システムを構成する電子カメラ、マスターフラッシュ、及びリモートフラッシュを示すブロック図である。
【図４】照明システムの動作手順を示すフローチャートである。
【図５】図４で説明した動作手順の続きを示すフローチャートである。
【図６】（Ａ）は表示部に表示されるテスト画像を示し、（Ｂ）はテスト画像のうちの陰影を付ける、又は明るくする範囲を指定した状態を示している。
【発明を実施するための形態】
【０００９】
本発明の一実施形態である撮像システム１０は、図１に示すように、電子カメラ１１、マスターフラッシュ１２、複数のリモート（スレーブ）フラッシュ１３〜１５を有し、被写体１６に対して多灯撮影を行う。
【００１０】
電子カメラ１１は、被写体１６の略正面に、三脚等を利用して設置される。マスターフラッシュ１２は、電子カメラ１１に設けたシューに取り付けられる外付けタイプであり、メイン照明の作用をなす。リモートフラッシュ１３〜１４は、マスターフラッシュ１２から発光される光を受光センサで受光することで、マスターフラッシュ１２の発光開始、及び発光停止に同期して発光開始、及び発光停止が制御される。複数のリモートフラッシュ１３〜１５は、被写体１６の周囲に設置され、例えばフィルインライトやアクセントライトの作用をなす。電子カメラ１１は撮像手段の一例であり、また、リモートフラッシュ１３〜１５は照明手段の一例である。
【００１１】
リモートフラッシュ１３は、図２に示すように、支持部１８、位置変更部１９、及び照射方向変更部２０を備える。支持部１８は、リモートフラッシュ１３を支持する、例えば三脚等を含む。照射方向変更部２０は、支持部１８に取り付けられ、リモートフラッシュ１３の照射方向を上下左右に変更する。位置変更部１９は、支持部１８を保持する台車、台車に設けた複数の車輪、複数の車輪のうちの一部を前、又は後に駆動させる駆動部、及び車輪の一部の向きを変更する方向制御部を有し、リモートフラッシュ１３の位置を自在に変更する。なお、リモートフラッシュ１４，１５は、リモートフラッシュ１３と同じ機構であるため、図２及び図３では省略している。なお、位置変更部１９としては、天井に設けたレールと、レールをガイドとしてリモートフラッシュを移動させる移動部とで構成してもよい。
【００１２】
リモートフラッシュは、図３に示すように、位置変更部１９や照射方向変更部２０以外に、送受信部２２、受光センサ２３、フラッシュ部２４、ＲＯＭ２５、及び位置情報取得部２６を含み、これらは制御部２７により統括的に制御される。送受信部２２は、電子カメラ１１との間で無線通信を行う。受光センサ２３は、マスターフラッシュ１２から放たれる光を受光する。位置情報取得部２６は、ＧＰＳ機能を含み、ＧＰＳ衛星２８から得られる情報に基づいて現時点のグローバルな位置情報を算出する。フラッシュ部２４は、電池（バッテリ）から供給される電力を発光用コンデンサに蓄積し、発光用コンデンサに蓄積される電力を利用して閃光発光部から発光面を通して閃光を発光する。ＲＯＭ２５には、ガイドナンバー等のフラッシュ性能や識別番号等が予め記憶されている。
【００１３】
電子カメラ１１は、カメラ部３０、画像処理部３１、操作部３２、送受信部３３、フラッシュ通信部３４、表示制御部３５、表示部３６、ＲＡＭ３７、ＲＯＭ３８、位置情報取得部３９、変更情報算出部４０、記録部４１、及びこれらを統括的に制御する制御部４２を含む。
【００１４】
カメラ部３０は、撮影レンズにより結像される被写体１６を撮像素子で撮像して画像データを取得する。画像処理部３１は、カメラ部３０で取得した画像データに対して画像処理を施す。画像処理部３１は、カメラ部３０で取得した画像データに対して、例えばホワイトバランス等の画像処理を自動的に行う画像処理部と、例えば明るさを変える等の画像処理を撮影者が選択的に行う画像処理部とを含む。記録部４１は、自動的に行う画像処理を行った画像データを、例えば内蔵メモリや外部メモリ等の記録媒体に記録する。
【００１５】
操作部３２は、レリーズ操作部、モード選択操作部、十字ボタンや決定ボタン等を含む。モード選択操作部は、撮影モード、再生モード、及びガイドモードのいずれかを選択する。ガイドモードは、撮影者の意図する陰影バランスになるように（最適なライティングになるように）リモートフラッシュの位置、及び照射方向を変更して撮影を行うモードである。また、操作部は、表示部３６の表示面に設けられるタッチ操作部を含む。送受信部３３は、リモートフラッシュ１３との間で無線通信を行う。
【００１６】
フラッシュ通信部３４は、マスターフラッシュ１２に設けたカメラ通信部４３に接続され、マスターフラッシュ１２からフラッシュ性能情報や識別情報等を取得し、発光開始信号や発光停止信号等を送る。表示制御部３５は、制御部４２の制御に従って表示部３６を制御する。表示部３６には、スルー画像や撮影済みの画像等が表示される。ＲＯＭ３８には、各種プログラム等が記憶されている。ＲＡＭ３７には、各種プログラムを実行するための作業領域として利用され、またテスト画像のデータ等が一時的に記憶される。位置情報取得部３９は、リモートフラッシュ１３で説明した位置情報取得部２６と同様の機能を有する。
【００１７】
変更情報算出部４０は、現時点のリモートフラッシュ１３の位置、及び照射方向の情報と、本撮影の前に行う事前撮影により取得するテスト画像とに基づいて、所望する陰影バランスになる条件（変更情報）、例えばリモートフラッシュ１３の位置、及び照射方向等の条件を求める。制御部４２は、変更情報算出部４０で算出した変更情報に基づいて、各リモートフラッシュ１３に、移動先となる位置情報、及び変更後の照射方向の情報を送る。なお、変更情報算出部４０としては、算出に限らず、例えば現時点のリモートフラッシュ１３の位置及び照射方向と、今までのノウハウである条件とに基づいて最適なリモートフラッシュ１３の位置及び照射方向を予測してもよい。変更情報算出部４０は、変更情報特定手段の一例である。
【００１８】
マスターフラッシュ１２は、カメラ通信部４３、フラッシュ部４５、ＲＯＭ４７、及び制御部４６を有する。フラッシュ部４５は、リモートフラッシュ１３で説明した位置情報取得部２６と同様の機能を有する。カメラ通信部４３は、電子カメラ１１のシューを介してカメラ側のフラッシュ通信部３４に接続され、電子カメラ１１側との間で信号授受を行う。ＲＯＭ４７には、フラッシュ部の性能情報が予め記憶されている。この情報は、カメラ通信部４３を介して電子カメラ１１側に送られる。制御部４６は、カメラ通信部４３が受信する発光開始信号、及び発光停止信号に基づいてフラッシュ部４５の発光を制御する。
【００１９】
次に、上記構成の作用を、図４及び図５を参照しながら説明する。図２に示すように、電子カメラ１１を被写体１６の正面に三脚等を利用して設置する。マスターフラッシュ１２を電子カメラ１１のシューに取り付ける。これにより、フラッシュ通信部３４とカメラ通信部４３とが電気的に接続される。最後にリモートフラッシュ１３を被写体１６の周りに設置する。なお、図１では、３個のリモートフラッシュ１３〜１５を記載しているが、説明の簡略化のために以下ではリモートフラッシュ１３として説明する。
【００２０】
リモートフラッシュ１３の電源をオンする。位置変更部１９、及び照明方向変更部２０は、リモートフラッシュ１３の初期位置が被写体１６を略照明する位置及び向きになるように設定されている。マスターフラッシュ１２の電源をオンする。そして、電子カメラ１１の電源をオンする（Ｓ−１）。そして、表示部３６に表示されるスルー画像に写る被写体を見ながら構図を決める。その後、電子カメラ１１のモード選択操作部を操作してガイドモードを選択する（Ｓ−２）。
【００２１】
ガイドモードの選択操作に応答して制御部４２は、リモートフラッシュ１３の数を入力する画面を表示部３６に表示するように制御する（Ｓ−３）。この画面には、テンキーが表示されており、テンキーを構成する数字ボタンをタッチ操作することでリモートフラッシュ１３の数を入力する。その後、制御部４２は、送受信部３３を介して各リモートフラッシュ１３との間で接続の確立を行い、接続が確立したリモートフラッシュ１３から順に識別情報やフラッシュ性能等の情報を取得する（Ｓ−４）。制御部４２は、取得した情報をＲＡＭ３７に記憶しておく。なお、電子カメラ１１と各リモートフラッシュ１３〜１５との間で授受する信号には、識別情報が付与される。信号を授受する双方の装置は、識別情報に基づいてどこの装置からの信号かを識別する。
【００２２】
制御部４２は、取得した情報から接続が確立したリモートフラッシュ１３と、入力されたリモートフラッシュの数とが一致するか否かを判断する（Ｓ−５）。ここで、一致しない場合、入力間違いのケース、又は無線が届かない等の理由で接続が確立しないリモートフラッシュ１３があるケース、あるいは使用しないリモートフラッシュ１３が有るケース等が考えられる。入力間違いのケース、及び接続が確立しないリモートフラッシュ１３がある場合には、再度、リモートフラッシュ１３の数を入力する手順に戻せばよい（Ｓ−３）。使用しないリモートフラッシュが有る場合には、「認識している数と入力している数が異なりますが続行しますか？」等の選択画面を表示し、撮影者に「Ｙｅｓ」か「Ｎｏ」を選択させるのが望ましい（Ｓ−６）。
【００２３】
その後、制御部４２は、多灯撮影後に画像処理を行うか否かの選択画面を表示する（Ｓ−７）。この画像処理は、ライティングだけでは演出できない処理、例えば一部を明るくする処理や一部に陰影を付ける処理等である。「画像処理を併用する」を選択した場合には、制御部４２は、フラグをオンする（Ｓ−８）。その後、制御部４２は、リモートフラッシュ１３の位置を入力する画面を表示部３６に表示する（Ｓ−９）。この画面には、位置入力を自動的に入力する自動と、手動で入力する手動との何れかを選択する画面が表示されている（Ｓ−１０）。自動が選択されると、制御部４２は、リモートフラッシュ１３との間で通信を行って、各リモートフラッシュ１３から位置情報を取得する（Ｓ−１１）。
【００２４】
手動を選択した場合には、各リモートフラッシュ１３の位置情報を入力する（Ｓ−１２）。この入力方法としては、例えば電子カメラ１１に対して各リモートフラッシュ１３との間の距離を３次元的にｘ，ｙ，ｚ座標で入力してもよいし、例えば図１に示した平面図のように、電子カメラ１１の周辺の地図（見取り図）を表示部３６に表示してリモートフラッシュ１３の絵柄をタッチ操作により地図上で動かして決めることで入力するようにしてもよい。地図情報、例えば建屋の平面図等の情報等は、データサーバから無線通信で取得するように構成するのが好適である。表示上にある被写体１６は、電子カメラ１１に設けられている測距部から得られる被写体距離に基づいて位置を特定することができる。全ての入力が完了すると（Ｓ−１３）、リモートフラッシュの初期位置情報が決定される（Ｓ−１４）。
【００２５】
制御部４２は、例えば「テスト撮影を行って下さい」等の事前撮影を促すメッセージを表示部３６に表示する（Ｓ−１５）。この表示を確認した後に、撮影者は、レリーズ操作部を操作して事前撮影を行う（Ｓ−１６）。事前撮影は、特定した初期位置にあるリモートフラッシュ１３とマスターフラッシュ１２とを使用する多灯撮影で行われる。このとき、電子カメラ１１では、スレーブフラッシュ１３の数に応じて設定された光量比に基づき、最適な発光量となるように自動調光露出制御が行われる。
【００２６】
制御部４２は、事前撮影により取得した画像データをＲＡＭ３７に一時的に記憶しておき、ＲＡＭ３７から読み出した画像（テスト画像）を表示部３６に表示する。撮影者は、テスト撮影を見て、所望するライティングになるように、所望する範囲に陰影を付ける、又は明るくする等の画像修正の指示を実行する（Ｓ−１７）。この指示は、例えばテスト画像を図６（Ａ）に示す画像とした場合、同図（Ｂ）に示すように、テスト画像のうちの陰影、又は明るさを修正する範囲を、対角の２点のタッチで指定する、又はスライドして指定することで行える。そして、「陰影を付ける」及び「明るくする」ボタンが表示されているので、何れかのボタンを選択操作する（Ｓ−１８）。
【００２７】
変更情報算出部４０は、フラグがオフしている場合（Ｓ−１９）、設定された範囲に陰影を付ける、又は設定された範囲が明るくなるようにリモートフラッシュ１３の照射位置、及び照射方向を算出する。このとき、算出した位置に基づいて電子カメラ１１に対する複数のリモートフラッシュ１３の変更位置を、例えば図１に矢印で示したように平面から見た図で表示部３６に表示するのが好適である。
【００２８】
フラグがオンしている場合、変更情報算出部４０は、設定された範囲に陰影を付ける、又は設定された範囲が明るくなるように、画像処理を併用した上でのリモートフラッシュ１３の位置、及び照射方向を算出する（Ｓ−２０）。この場合も算出したリモートフラッシュ１３の位置に基づいて電子カメラ１１に対するリモートフラッシュ１３の変更位置を、例えば図１に矢印で示したように平面から見た図で表示部３６に表示するのが好適である。
【００２９】
制御部４２は、変更情報算出部４０で算出した結果の情報、つまり変更後の位置情報、及び照射方向の情報を、送受信部３３を介して、対応するリモートフラッシュ１３に送る。各リモートフラッシュ１３は、電子カメラ１１から位置情報、及び照射方向の情報を送受信部２２で受け取る。リモートフラッシュ１３の制御部２７は、受け取った位置情報、及び照射方向の情報に基づいて、位置変更部１９、及び照射方向変更部２０を制御して、フラッシュ部２４の位置、及び発光面２４ａの向きを変える（Ｓ−２１）。
【００３０】
各リモートフラッシュ１３は、フラッシュ部２４の位置、及び発光面２４ａの向きが変わることに応答して電子カメラ１１に完了信号を送る。電子カメラ１１は、各リモートフラッシュ１３から完了信号を受け取ることで、変更が行われたことを確認する（Ｓ−２２）。このとき、電子カメラ１１の制御部４２は、表示部３６にＯＫマークや表示ランプの点灯又は点滅、あるいはブサー等、視覚又は聴覚を通じて、全てのリモートフラッシュ１３の変更を確認した旨を表す表示をするのが好適である（Ｓ−２３）。
【００３１】
その後、制御部４２は、本撮影を指示する旨の表示を表示部３６に表示するよう制御する（Ｓ−２４）。撮影者は、その表示を確認した後に、レリーズ操作部を操作して本撮影を行う。ここで、画像処理部３１は、フラグがオンしている場合、本画像データに対してライティングでは演出できない範囲を画像処理する（Ｓ−２５）。例えば、囲み枠５１が設定された特定の範囲に対して、明るくする場合には明るくする画像処理が、また陰影を付ける場合には影を付ける画像処理が画像処理部３１でそれぞれ行われる。画像処理としては、例えば帽子により被写体の顔が影になっている場合、顔を明るくする指定を行うことで、変更情報算出部４０がリモートフラッシュ１３〜１５のみの照明では顔が明るくならないと判定する場合、顔画像領域の周辺と同じ輝度になる画像処理を行うように画像処理部３１を制御する。
【００３２】
制御部４２は、本撮影後に得られた画像（画像処理済みの画像を含む）を表示部３６に表示する（Ｓ−２６）。ここで、表示部３６には、「修正要」か「修正無」の選択ボタンが表示される（Ｓ−２７）。撮影者により「修正要」ボタンが選択されると、制御部４２は、再び陰影、又は明るさ修正を行う指示待ちの手順（Ｓ−１８）に戻し、タッチ操作による修正指示に基づいて再び変更情報算出部４０でリモートフラッシュ１３の位置及び照射方向の情報を算出して本撮影を行う処理を実行する。
【００３３】
「修正無」ボタンが選択されると、制御部４２は、変更情報を保存する「保存有」ボタンと保存しない「保存無」ボタンとを表示部３６に表示する（Ｓ−２８）。「保存有」ボタンが選択されると、画像データと変更情報とを関連付けして記録部が記録媒体に保存する（Ｓ−２９）「保存無」ボタンが選択されると画像データのみが記録される（Ｓ−３０）。
【００３４】
上記実施形態では、照明手段として閃光を発するフラッシュとしているが、ＬＥＤを常時点灯するものを使用してもよい。この場合、テスト画像としてスルー画像を利用して変更情報を算出、又は特定することができる。
【００３５】
上記各実施形態では、位置情報取得部２６，３９として、グローバルな位置情報を取得するＧＰＳ機能を使用しているが、代わりに、Bluetooth（登録商標）やWi-Fi（登録商標）（無線ＬＡＮ）等の無線通信方式を用い、電子カメラに設けた無線アクセスポイントを基準とした各リモートフラッシュ１３の位置情報を取得するように構成してもよい。
【００３６】
上記各実施形態では、ライティング変更後に行う画像処理を選択的に行っているが、本発明ではこれに限らず、変更情報に基づいてリモートフラッシュ１３〜１５の照明条件を変更した後のライティングだけでは所望する画像が得られない場合、画像処理部３１により自動的に画像処理を行ってもよい。この場合、所望する画像であると判断するための条件を予め記憶して判定すればよい。また、上記各実施形態では、リモートフラッシュ１３〜１５を３個として説明しているが、４個以上でもよく、また１個だけでもよい。
【００３７】
上記各実施形態では、図５の「Ｓ−１７」で説明したように、テスト画像を見て「陰影を付ける」、又は「明るくする」の画像修正の指示を実行しているが、本発明ではこれに限らず、「キャッチライトを入れる」、「グラビア撮影用配置」、及び「ポスター撮影用配置」等の変更情報に基づいて、照明手段の照明位置、及び照射方向を特定するように構成してもよい。例えば「キャッチライトを入れる」との変更情報は、フラッシュ光を人物や動物の瞳に映り込ませることで生き生きとした効果を与えるための情報である。「グラビア撮影用配置」との変更情報は、例えばマスターフラッシュを白い壁や天井にバウンス発光させ、リモートフラッシュによりモデルの輪郭に光の輪ができるようにモデルの背後から照射してモデルの体の輪郭を強調させるための情報である。「ポスター撮影用配置」との変更情報は、例えばモデルの顔をできるだけ明るく撮影をするための情報である。
【００３８】
以上、本発明を好適な実施の形態に基づき具体的に説明したが、本発明は上記のものに限定されるものではなく、その要旨を逸脱しない範囲で種種変更可能であることは言うまでもない。
【符号の説明】
【００３９】
１０  撮像システム
１１  電子カメラ
１２  マスターフラッシュ
１３〜１５  リモートフラッシュ
１６  被写体
【図１】
2014006304.tif 000003
【図２】
2014006304.tif 000004
【図３】
2014006304.tif 000005
【図４】
2014006304.tif 000006
【図５】
2014006304.tif 000007
【図６】
2014006304.tif 000008